(57)【要約】【課題】扉を左右に開いたときも両側に無駄なスペースを取らず、見栄えがよく、開閉操作も簡単な扉の取付構造とする。【解決手段】少なくとも２つの扉片を折り畳み可能に連結した扉の一側端部を支軸に枢着するとともに、前記支軸を箱体の側壁に設けた支柱に枢着してなる。扉片同士、扉と支軸及び支軸と支柱とをそれぞれ蝶番で連結するとともに、前記箱体の両側壁部に前記扉の取付構造を適用することが好ましい。側壁に設けた支柱の内側又は支軸の内側の何れかに支軸係止具を設け、或いは、扉を固定するための扉係止具を設けることが好ましい。また、前記何れかからなる扉の取付構造を仏壇に使用することが好ましい。【選択図】図３
2005256521.tif 000002
【特許請求の範囲】
【請求項１】
少なくとも２つの扉片を折り畳み可能に連結した扉の一側端部を支軸に枢着するとともに、前記支軸を箱体の側壁に設けた支柱に枢着してなることを特徴とする扉の取付構造。
【請求項２】
前記扉の取付構造において、少なくとも２つの扉片を折り畳み可能に連結し、前記扉の一側端部を支軸に枢着し、或いは、前記支軸を箱体の側壁に設けた支柱に枢着する手段として蝶番を使用するとともに、前記箱体の両側壁部に前記扉の取付構造を適用することを特徴とする請求項１記載の扉の取付構造。
【請求項３】
側壁に設けた支柱の内側又は支軸の内側の何れかに支軸係止具を設けたことを特徴とする請求項１記載の扉の取付構造。
【請求項４】
前記扉の取付構造において、前記扉が閉じた状態で扉を固定するために、扉係止具を設けたことを特徴とする請求項１記載の扉の取付構造。
【請求項５】
請求項１〜４の何れかに記載の扉の取付構造を使用することを特徴とする仏壇。
【発明の詳細な説明】
【技術分野】
【０００１】
本発明は、収納用箱体などに扉を取り付けるための扉の取付構造に係るものであり、特にこの扉の取付構造を使用した仏壇に関する。
【背景技術】
【０００２】
従来の仏壇の扉については、特許文献１に示すように、２枚の板材を蝶番で連結した折戸を左右の側板に直接蝶番で取り付けたものからなり、左右の折戸を平板状に引き延ばして扉を閉じ、また、左右の折戸を折り畳むことによって扉を開くことができる。そして扉を開けた状態においては、図７に示すように、折戸１２，１２は左右の両側板１３，１３の外側に突出した状態で保持されることになる。また、他の例として特許文献２に示すように、側壁にレールを設け、このレールに折戸をスライド可能に取り付け、この折戸をスライドさせて側壁と仏壇の間に収納する扉が公知である。
【特許文献１】特開２００３−１６６３７２号公報
【特許文献２】実登３０３２８７７号公報
【０００３】
特許文献１記載の従来の仏壇の扉は、前記のように扉を開けた状態においては、折戸１２，１２は左右の側板１３，１３の外側に突出した状態で保持されるために、仏壇の収納箱体の両側に扉を開けるためのスペースを確保しなければならない。しかし、仏壇を部屋の壁に寄せて設置する場合には係るスペースを取ることは物理的に不可能であり、部屋の壁寄りの扉は完全に開かず、左右の扉がアンバランスな状態となり、見栄えが良くない。また、折戸を開いた状態では、蝶番が表面に露出して見苦しいという問題点がある。また、特許文献２記載の扉は、扉をレールによってスライドさせること、及び側壁と仏壇の間に隙間を設ける必要があることから内部構造が複雑になるという問題点がある。
【発明の開示】
【発明が解決しようとする課題】
【０００４】
本願発明者は仏壇などに用いる扉の取付構造について鋭意研究し、収納箱に直接扉を取り付ける従来方式による扉の取付構造とは全く異なる扉の取付構造を知見して本発明を想到するに至ったものであり、本発明は、前記のような問題点を解消し、構造が簡単であり、扉の開閉操作も容易で、且つ見栄えがよく意匠性に優れた扉の取付構造及びこれを用いた仏壇を提供することを目的とする。
【課題を解決するための手段】
【０００５】
前記の課題を解決するために、本発明は、少なくとも２つの扉片を折り畳み可能に連結した扉の一側端部を支軸に枢着するとともに、前記支軸を箱体の側壁に設けた支柱に枢着してなることを特徴とする扉の取付構造とする（請求項１）。
【０００６】
また、前記の課題を解決するために、本発明は、前記扉の取付構造において、少なくとも２つの扉片を折り畳み可能に連結し、前記扉の一側端部を支軸に枢着し、或いは、前記支軸を箱体の側壁に設けた支柱に枢着する手段として蝶番を使用するとともに、前記箱体の両側壁部に前記扉の取付構造を適用することを特徴とする前記の扉の取付構造とすることが好ましい（請求項２）。
【０００７】
また、前記の課題を解決するために、本発明は、側壁に設けた支柱の内側又は支軸の内側の何れかに支軸係止具を設けたことを特徴とする前記の扉の取付構造とすることが好ましい（請求項３）。
【０００８】
また、前記の課題を解決するために、本発明は、前記扉の取付構造において、前記扉が閉じた状態で扉を固定するために扉係止具を設けたことを特徴とする前記の扉の取付構造とすることが好ましい（請求項４）。
【０００９】
また、前記の課題を解決するために、本発明は、前記の何れかに記載の扉の取付構造を使用することを特徴とする仏壇とすることが好ましい（請求項５）。
【発明の効果】
【００１０】
本発明の扉の取付構造によれば、扉を箱体乃至仏壇の内側側面に折り畳んだ状態で収納することができる。従って、従来例の扉のように、扉を開けたときに折戸が側板の側方に大きく突出することがないので、両側に無駄なスペースをとる必要がなく、設置場所も限定されず狭い場所に設置することも可能である。また、扉が内側に収納されるので斜め方向からでも内部が良く見える。且つ、扉片を連結する蝶番が表面に露出することがないので見栄えがよい。
【００１１】
また、扉の背部は支柱乃至支軸の内側に隠れた状態で収納され礼拝者からは見えないので体裁がよい。更に、前記のように扉を箱体乃至仏壇の内側側面に折り畳んだ状態で収納する以外に、扉を箱体の前方側方に突出しない程度に折り畳むか、或いは、中央寄り扉片を支軸寄り扉片の裏側にそれぞれ折り畳んだ状態に開扉することもできる。このように好みに応じて何れの開扉位置乃至開扉状態を選択して開扉することができるので利用価値がより向上する。その上、扉の開閉操作が簡単で構造もシンプルであり、経済的にも優れた効果を奏する。
【発明を実施するための最良の形態】
【００１２】
本発明を実施するための最良の形態について、図に基づいて以下に詳細に説明する。
図１は、本発明の実施の形態に係る扉の取付構造を使用した仏壇を例示する正面図であり、図２は、そのＸ−Ｘ線断面図である。図３〜図５は、扉を開いた状態を例示する断面図である。図６及び図７は、取り付け部分の拡大図である。前記の図において、１は、本発明に係る仏壇を示し、この箱体２からなる仏壇１は前面に開口部を有する箱体２からなり、箱体２の左右の側壁３ａ，３ｂの先端には、支柱４ａ，４ｂが開口部を挟んでそれぞれ対向して設けられている。両支柱４ａ，４ｂの対向面には、支軸７ａ，７ｂが回動自在に取り付けられており、支柱４ａ，４ｂの内側上方には支軸７ａ，７ｂ寄りに断面が正方形状の支軸係止具８ａ，８ｂが固定されている。支軸係止具８ａ，８ｂは、より堅固に固定するためにその断面を長方形状に形成して、一側端を側壁３ａ，３ｂに接して設けても良い。
【００１３】
一方、この図に示す扉５ａ，５ｂは、２枚の扉片５１ａ及び５２ａ又は５１ｂ及び５２ｂが横並びに蝶番６１ａ，６１ｂでそれぞれ連結され、この扉５ａ，５ｂの一側端部が蝶番６２ａ，６２ｂによって支軸７ａ，７ｂに枢着されている。そして、前記の支軸７ａ，７ｂは、蝶番６３ａ，６３ｂによって支柱４ａ，４ｂに枢着されている。箱体２の後方には仏像、位牌、お供物などを備える飾り棚１０や欄干１１が設けてある。
【００１４】
次に、この扉の取付構造について詳細に説明する。先ず、図１乃至図２に示すように、各扉片５１ａ，５１ｂ，５２ａ，５２ｂ  及び支軸７ａ，７ｂを、ほぼ同一厚みに形成することによって、扉が閉じた状態においては、扉５ａ，５ｂの表面全面及び支軸７ａ，７ｂがほぼ同一平面上に形成されることとなる。更に、扉５ａ，５ｂの中央部の蝶番６１ａ，６１ｂは扉の裏側に取付けられるので、表面には一切露出しない。従って、扉の表面の彫刻模様などが同一平面上にて連続性を保持して、より見栄えがよく、意匠効果が向上するのである。
【００１５】
前記の閉じた状態の扉５ａ，５ｂを開くには、図６及び図７に示すように、蝶番６１ａ，６１ｂの扉部を手前に引いて扉片５１ａ，５２ａ及び５１ｂ，５２ｂを折り畳み、更に、この折り畳んだ扉を箱体２の内側乃至側壁３ａ，３ｂの方向に回動させると、支軸７ａ，７ｂも同時に同方向に回動する。扉が閉じた位置からほぼ９０度回動すると、支軸７ａ，７ｂも同様に９０度回転して、支軸係止具８ａ，８ｂに当接して係止する。
【００１６】
図３に示すように扉片５２ａ，５２ｂの背部は支軸７ａ，７ｂの後方にそれぞれ隠れ、扉片５１ａ，５１ｂはそれぞれ支柱４ａ，４ｂの後方に隠れて収納されるので、前方の礼拝者からは、扉の側面部が目に入らず見栄えがよい。扉を閉じるときは、前記の扉を開くときと逆方向に扉を回動させればよい。また、扉を閉じた状態で固定するには、扉係止具が用いられる。扉係止具としては、タンス等の家具用扉に使用されるものを用いてもよい。例えば、図１〜図２に示すように、扉片５１ｂの一側端前面部に扉係止具９を設けて、この扉係止具９の内側に他の扉片５１ａの端部を係止するとともに、箱体２の天板乃至底板の内面にあって、扉が係止する位置に設けた扉係止具（図示せず）によって固定することが好ましい。或いは、一方の扉片の端面部にバネによって浮沈自在の突起部を設け、他の扉片の対向する端面部に設けた穴に係止させてもよく、更に、両端面部或いは天板乃至底板に設けた扉係止具９と扉の内側の当接部にＮＳ極の何れかの磁石をそれぞれ設けて係止してもよい。係る扉の取付構造を使用することによって、扉の開閉操作は極めて容易にでき、且つ、確実に固定することができるのである。
【００１７】
前記のように、扉５ａ，５ｂを箱体２の内部に収納する以外に、図４に示すように、箱体２の側壁３ａ，３ｂの前面部に折り畳むこともできる。即ち、前記の扉５ａ，５ｂを箱体２の内側に収納する操作において、扉片５１ａ，５２ａ及び５１ｂ，５２ｂを折り畳み、この折り畳んだ扉５ａ，５ｂを箱体２の内側乃至側壁３ａ，３ｂの方向に回動させる操作に代えて、前記折り畳んだ扉５ａ，５ｂを箱体２の前面外側方向に回動させると、支軸７ａ，７ｂは、支柱４ａ，４ｂに当接したまま動かずに扉５ａ，５ｂのみが回動し、やがて、扉片５２ａ，５２ｂが支柱４ａ，４ｂに当接すると扉５ａ，５ｂはその位置で係止する。
【００１８】
そして、図４のように支柱４ａ，４ｂの断面形状が支軸７ａ，７ｂよりも前方に凸状にであるときは、扉５ａ，５ｂは互いにやや内側に向いて対向して係止する。また、支柱４ａ，４ｂの断面を方形乃至矩形に形成して、前面が支軸７ａ，７ｂとほぼ同一面上になるように設けると、扉５ａ，５ｂは、扉片５１ａ，５１ｂの表面が完全に前面を向いた状態で係止することができる。前記の通り、扉５ａ，５ｂの係止時の状態（角度）は、支柱４ａ，４ｂの断面の形状によって任意に選択することができる。図４に示す通り、従来例のように、扉全体が両側板の側方に大きく突出しないので、無駄なスペースをとることはない。また、図５に示すように、中央寄り扉片５１ａ，５１ｂを扉片５２ａ，５２ｂの裏側にそれぞれ折り畳むことによって、あたかも引き戸を開扉した状態にすることもできる。
【００１９】
前記の例では、左右の扉がそれぞれ２枚の扉片を連結したものを例として説明したが、これ以外に、３枚以上の扉片を屏風様に折り畳むように連結したものであってもよい（図示せず）。また、本発明に係る扉の取付構造は、仏壇以外にも、家具、収納具などに広く使用できるものであり、本発明の趣旨を逸脱しない範囲において本発明に含まれるものである。
【産業上の利用可能性】
【００２０】
本発明に係る扉の取付構造は、従来の仏壇用の扉とは全く異なり、扉を左右に開いたときも両側に無駄なスペースを取らず、見栄えがよく、開閉操作も容易であることから、仏壇、家具、収納具などに広く利用され有用である。
【図面の簡単な説明】
【００２１】
【図１】本実施の形態に係る扉の取付構造を使用した仏壇を例示する正面図である。
【図２】図１のＸ−Ｘ線断面図である。
【図３】扉を開いた状態を例示する断面図である。
【図４】扉を開いた状態を例示する他の断面図である。
【図５】扉を開いた状態を例示する他の断面図である。
【図６】図３における取り付け部分の拡大図である。
【図７】図２における取り付け部分の拡大図である。
【図８】従来例に係る扉の取付構造を使用した仏壇の断面図である。
【符号の説明】
【００２２】
１：仏壇、２：箱体、３ａ，３ｂ：側壁、４ａ，４ｂ：支柱、５ａ，５ｂ：扉、５１ａ，５１ｂ，５２ａ，５２ｂ：扉片、６１ａ，６１ｂ，６２ａ，６２ｂ，６３ａ，６３ｂ：蝶番、７ａ，７ｂ：支軸、８ａ，８ｂ：支軸係止具、９：扉係止具、１０：飾り棚、１１：欄干、１２：折戸、１３：側板
【図１】
2005256521.tif 000003
【図２】
2005256521.tif 000004
【図３】
2005256521.tif 000005
【図４】
2005256521.tif 000006
【図５】
2005256521.tif 000007
【図６】
2005256521.tif 000008
【図７】
2005256521.tif 000009
【図８】
2005256521.tif 000010